(57)【要約】      （修正有）【課題】用紙の折れ曲がりによる用紙の損傷を回避させる用紙ピックアップ装置を提供する。【解決手段】用紙ピックアップ装置１０は、給紙カートリッジ１１と給紙チャンネル１２との間に設置されると共に、給紙カートリッジから用紙を給紙する給紙ユニット２０と、給紙ユニットに対向するように設置されると共に互いに接触する用紙分離ローラー３０と、給紙カートリッジと給紙ユニットとの間に設置され、且つ用紙を止めるストップ位置と用紙を給紙チャンネルに通過させる給紙位置との間で切り換わるように移動可能に設置されるストップアーム４０と、用紙分離ローラーの上流に位置すると共に給紙チャンネルの上壁に設けられた収容空間中に設置されるピボット軸を介して給紙チャンネルの上壁に設置され、給紙ユニット及び用紙分離ローラーにより形成される縫い目空間中に揺動可能に設置される用紙ガイド部を含む用紙ガイドスイングアーム５０と、を備える。【選択図】図５Ａ
0003224305.tif 000002
【実用新案登録請求の範囲】
【請求項１】
給紙カートリッジと給紙チャンネルとの間に設置され、
前記給紙カートリッジから用紙を給紙する給紙ユニットと、
前記給紙ユニットに対向するように設置されると共に互いに接触する用紙分離ローラーと、
前記給紙カートリッジと前記給紙ユニットとの間に設置され、且つ用紙を止めるストップ位置と用紙を前記給紙チャンネルに通過させる給紙位置との間で切り換わるように移動可能に設置されるストップアームと、
前記用紙分離ローラーの上流に位置すると共に前記給紙チャンネルの上壁に設けられた収容空間中に設置されるピボット軸を介して前記給紙チャンネルの前記上壁に設置され、且つ前記給紙ユニット及び用紙分離ローラーにより形成される縫い目空間中に揺動可能に設置される用紙ガイド部を含む用紙ガイドスイングアームと、を備え、
前記用紙分離ローラーの回転軸から前記用紙ガイド部の下流側の一端までの距離は前記用紙分離ローラーのローラー径より長く、給紙されている用紙から前記用紙ガイド部の下流側の一端までの垂直距離は給紙されている用紙から前記用紙分離ローラーまでの最短垂直距離よりも長いことを特徴とする用紙ピックアップ装置。
【請求項２】
前記用紙ガイドスイングアームは、前記用紙ガイド部の給紙方向における上流に近接する一端から延伸される昇降部を含むことを特徴とする請求項１に記載の用紙ピックアップ装置。
【請求項３】
前記昇降部は、前記ストップアームの給紙方向における下流に位置することを特徴とする請求項２に記載の用紙ピックアップ装置。
【請求項４】
前記用紙ガイドスイングアームは、前記昇降部の給紙方向における上流に位置する一端から延伸されるストッパー部を含むことを特徴とする請求項１に記載の用紙ピックアップ装置。
【請求項５】
前記ストッパー部は、前記ストッパー部の給紙方向における上流に近接する一端に位置する頂点を含み、且つ前記頂点から用紙までの距離は前記ストップアームの底端から用紙までの距離よりも長いことを特徴とする請求項４に記載の用紙ピックアップ装置。
【請求項６】
用紙分離ローラーの軸方向から見た場合、前記用紙ガイド部の面及び前記給紙チャンネルの間の夾角は前記昇降部及び前記給紙チャンネルの間の夾角よりも小さく、前記昇降部及び前記給紙チャンネルの間の夾角は前記ストッパー部及び前記給紙チャンネルの間の夾角よりも小さいことを特徴とする請求項１に記載の用紙ピックアップ装置。
【考案の詳細な説明】
【技術分野】
【０００１】
本考案は、用紙ピックアップ装置に関し、より詳しくは、用紙の折れ曲がりにより用紙が損傷するのを回避させる用紙ピックアップ構造に関する。
【背景技術】
【０００２】
まず、図１に示されるように、用紙ピックアップ部材は自動給紙器の入口箇所に設置され、積み重ねられた用紙を分離して一枚ずつ給紙するために用いられる機構である。また、用紙が多重に給紙されるのを防ぐため、用紙ピックアップ部材は、用紙搬送チャンネルと、用紙ピックアップ装置２０’と、１組の用紙分離装置３０’と、前記用紙ピックアップ装置２０’と前記用紙分離装置３０’との間に設置されるストップ装置４０’と、を備える。前記ストップ装置４０’は前記用紙ピックアップ装置２０’と前記用紙搬送チャンネルとの間で用紙搬送チャンネルに用紙が進入するのを止め、前記用紙ピックアップ装置２０’は多重になった用紙に接触させて用紙を前記用紙搬送チャンネルに給送し、前記用紙分離装置３０’は給送された用紙に摩擦力を提供すると共に重複して給送される用紙を止める。
【考案の概要】
【考案が解決しようとする課題】
【０００３】
しかしながら、前述した従来の技術では、すなわち、用紙の分離を行う際に、用紙の折れ曲がりにより用紙が損傷しやすくなる。頻繁に発生する用紙が折れ曲がる状況については図２〜図４にそれぞれ示す。
【０００４】
図２によると、下層の用紙が用紙搬送チャンネルに給送されると、上層の用紙が下層の用紙による支持を失って自由落下してしまい、用紙の前縁がわずかに折れ曲がる。
【０００５】
図３によると、用紙の分離効果を高めるため、前記用紙分離装置３０’は用紙を給紙カートリッジの方向に戻して回転させるが、前記用紙分離装置３０’に接触する用紙の一端が用紙分離ローラーに引っ張られて前端が折れ曲がることがよくある。
【０００６】
図４によると、用紙に対する給紙力を高めるため、前記用紙分離装置３０’は通常弾性材質で製造される。このため、用紙の給紙過程において用紙の牽引により弾性変形が生じ、且つ前記弾性変形は用紙分離装置３０’から用紙が脱離した後に原状を回復し、給送される次の１枚の用紙の前縁が折れ曲がってしまう。
【０００７】
そこで、本考案者は上記の欠点が改善可能と考え、鋭意検討を重ねた結果、用紙のガイド機能を具備し、用紙の折れ曲がりにより用紙が損傷する事態を回避させる用紙ピックアップ構造を提供する必要があるとの結論に至った。
【０００８】
本考案はこうした状況に鑑みてなされたものであり、その目的は、用紙ガイド機能を具備し、用紙の折れ曲がりにより用紙が損傷するのを回避させる用紙ピックアップ構造を提供することにある。
本考案は、以上の従来技術の課題を解決する為になされたものである。即ち、本考案の目的は、用紙ガイド機能を具備し、用紙の折れ曲がりにより用紙が損傷するのを回避させる用紙ピックアップ構造を提供することにある。
【課題を解決するための手段】
【０００９】
上記課題を解決するために、本考案のある態様の用紙ピックアップ装置は、給紙カートリッジと給紙チャンネルとの間に設置され、
前記給紙カートリッジから用紙を給紙する給紙ユニットと、
前記給紙ユニットに対向するように設置されると共に互いに接触する用紙分離ローラーと、
前記給紙カートリッジと前記給紙ユニットとの間に設置され、且つ用紙を止めるストップ位置と用紙を前記給紙チャンネルに通過させる給紙位置との間で切り換わるように移動可能に設置されるストップアームと、
前記用紙分離ローラーの上流に位置すると共に前記給紙チャンネルの上壁に設けられた収容空間中に設置されるピボット軸を介して前記給紙チャンネルの前記上壁に設置され、且つ前記給紙ユニット及び用紙分離ローラーにより形成される縫い目空間（用紙分離ローラー、給紙カートリッジ及びストップ位置にあるストップアームにより形成される空間）中に揺動可能に設置される用紙ガイド部を含む用紙ガイドスイングアームと、を備える。
前記用紙分離ローラーの回転軸から前記用紙ガイド部の下流側の一端までの距離は前記用紙分離ローラーのローラー径より長く、給紙されている用紙から前記用紙ガイド部の下流側の一端までの垂直距離は給紙されている用紙から前記用紙分離ローラーまでの最短垂直距離よりも長い。
【００１０】
本考案の好適例において、前記用紙ガイドスイングアームは、前記用紙ガイド部の給紙方向における上流に近接する一端から延伸される昇降部を含む。
【００１１】
本考案の好適例において、前記昇降部は、前記ストップアームの給紙方向の下流に位置する。
【００１２】
本考案の好適例において、前記用紙ガイドスイングアームは、前記昇降部の給紙方向における上流に位置する一端から延伸されるストッパー部を含む。
【００１３】
本考案の好適例において、前記ストッパー部は、前記ストッパー部の給紙方向における上流に近接する一端に位置する頂点を含み、且つ前記頂点から用紙までの距離は前記ストップアームの底端から用紙までの距離よりも長い。
【００１４】
本考案の好適例において、用紙分離ローラーの軸方向から見た場合、前記用紙ガイド部の面及び前記給紙チャンネルの間の夾角は前記昇降部及び前記給紙チャンネルの間の夾角よりも小さく、前記昇降部及び前記給紙チャンネルの間の夾角は前記ストッパー部及び前記給紙チャンネルの間の夾角よりも小さい。
【考案の効果】
【００１５】
本考案によると、用紙の折れ曲がりにより用紙が損傷するのを回避させることができる。
【図面の簡単な説明】
【００１６】
【図１】従来の用紙ピックアップ装置を示す側面図である。
【図２】従来の用紙ピックアップ装置が用紙の落下による用紙の反りを示す概略図である。
【図３】従来の用紙ピックアップ装置が用紙分離ロ−ラ−の逆転による用紙の反りを示す概略図である。
【図４】従来の用紙ピックアップ装置が用紙分離ロ−ラ−の回復による用紙の反りを示す概略図である。
【図５Ａ】本考案の一実施形態に係る用紙ピックアップ装置を示す側面図である。
【図５Ｂ】本考案のストップアームが上昇られる側面図である。
【図６】本考案に係る用紙ガイドスイングアームを示す側面図である。
【図７】本考案に係る用紙ガイドスイングアームとストップアームを示す斜視図である。
【図８】本考案に係る用紙ガイドスイングアームを示す斜視図である。
【図９Ａ】本考案に係る用紙ガイドスイングアームと用紙分離ロ−ラ−を示す斜視図である。
【図９Ｂ】図９Ａの部分拡大概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１８】
本考案に係る用紙ピックアップ装置１０は、給紙カートリッジ１１と給紙チャンネル１２との間に設置されて前記給紙カートリッジ１１中に積み重ねられる用紙を前記給紙チャンネル１２中に送入させ、且つ給紙方向の上流から下流にかけてストップアーム４０、用紙ガイドスイングアーム５０、及び前記給紙チャンネル１２の両側に対向するように設置されると共に相互に接触する給紙ユニット２０並びに用紙分離ローラー３０が順に設置される（図５Ａ及び図５Ｂ参照）。理解を容易にするため、以降本文で使用する「上流」及び「下流」という用語は更に定義はせず、用紙を給紙する際に用紙が入る側及び用紙が出る側をそれぞれ指す。
【００１９】
前記ストップアーム４０は前記給紙チャンネル１２に対して垂直になる方向に沿って移動するように設置され、用紙が止められるストップ位置と用紙に対して前記給紙チャンネル１２を通過させる給紙位置との間で切り換えを行う。前記用紙ガイドスイングアーム５０は前記用紙分離ローラー３０の上流に位置するピボット軸１４を介して前記給紙チャンネル１２中に設置され、前記給紙ユニット２０に用紙がスムーズに接触するようにガイドする。
【００２０】
図５Ａ及び図６に示されるように、前記用紙ガイドスイングアーム５０は用紙ガイド部５２と、前記用紙ガイド部５２の給紙方向における上流に近接する一端から延伸される昇降部５３と、前記昇降部５３の給紙方向における上流に位置する一端から延伸されるストッパー部５４と、前記ストッパー部５４の給紙方向における上流に近接する一端に位置する頂点５５と、を備える。
【００２１】
また、図６、図９Ａ及び図９Ｂに示されるように、前記用紙ガイド部５２は前記給紙ユニット２０及び用紙分離ローラー３０により形成される縫い目空間２１中に揺動可能に設置され、且つ前記用紙ガイド部５２の面と前記給紙チャンネル１２との間に微小な夾角θ１が形成され、前記給紙ユニット２０に用紙がスムーズに接触するようにガイドする。また、用紙のガイド効果を確保するため、前記用紙分離ローラー３０の回転軸から前記用紙ガイド部５２の下流側の一端までの距離Ｒ１は前記用紙分離ローラー３０のローラー径Ｒ２より長く、且つ給紙されている用紙から前記用紙ガイド部５２の下流側の一端までの垂直距離Ｄ１は給紙されている用紙から前記用紙分離ローラー３０までの最短垂直距離Ｄ２よりも長い。
【００２２】
前記昇降部５３は前記ストップアーム４０の給紙方向の下流に位置し、且つ前記給紙チャンネル１２との間に夾角θ２が形成される。前記夾角θ２は前記夾角θ１より大きく、よって、給紙されている用紙が前記ストップアーム４０を通過して前記昇降部５３に接触すると、前記昇降部５３に対してより高い垂直抗力が発生し、前記用紙ガイドスイングアーム５０を前記給紙チャンネル１２から離れる方向に持ち上げるトルクが形成される。
【００２３】
また、図６及び図７に示されるように、前記ストッパー部５４は給紙過程において前記ストップアーム４０の位置とほぼ重なり合い、且つ前記ストッパー部５４及び前記給紙チャンネル１２により形成される夾角θ３は前記昇降部５３及び前記給紙チャンネル１２により形成される夾角θ２より大きい。また、前記頂点５５から用紙までの距離は前記ストップアーム４０の底端から用紙までの距離より長い。上述の設置により、給紙されている用紙が給紙過程において前記用紙分離ローラー３０との接触が早くなりすぎるのを回避させ、且つ前記用紙ガイドスイングアーム３０と前記ストップアーム４０との間に隙間が空いて給紙されている用紙が給紙過程で前記昇降部５３及び前記用紙ガイド部５２に順に接触しなくなる事態をも回避させる。
【００２４】
さらに、図８に示されるように、好ましい実施態様では、前記用紙ガイドスイングアーム５０は前記給紙チャンネル１２の上壁１３に装設され、前記上壁１３中には収容空間１５が設けられ、且つ前記収容空間１５中に設置されるピボット軸１４と、前記収容空間１５中に設置されると共に前記ピボット軸１４の上流位置に位置するガイド溝１６と、前記収容空間１５中に設置されて前記用紙ガイドスイングアーム５０に当接される弾性体１７と、を備える。また、前記用紙ガイドスイングアーム５０は、前記ピボット軸１４に適合するように接合されるピボット孔５１及び用紙ガイドスイングアーム５０の側面に設置されて前記ガイド溝１６に適合するガイドブロック５６を含む。前記ガイド溝１６及びガイドブロック５６の組み合わせにより、前記用紙ガイドスイングアーム５０の揺動幅が制限される。なお、前記弾性体１７が当着することにより、前記用紙ガイドスイングアーム５０が給紙されている用紙と接触する状態に維持される。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１０  用紙ピックアップ装置
１１  給紙カートリッジ
１２  給紙チャンネル
１３  上壁
１４  ピボット軸
１５  収容空間
１６  ガイド溝
１７  弾性体
２０  給紙ユニット
２０’  用紙ピックアップ装置
２１  縫い目空間
３０  用紙分離ローラー
３０’  用紙分離装置
３１  軸
４０  ストップアーム
４０’  ストップ装置
５０  用紙ガイドスイングアーム
５１  ピボット孔
５２  用紙ガイド部
５３  昇降部
５４  ストッパー部
５５  頂点
５６  ガイドブロック
【図１】
0003224305.tif 000003
【図２】
0003224305.tif 000004
【図３】
0003224305.tif 000005
【図４】
0003224305.tif 000006
【図５Ａ】
0003224305.tif 000007
【図５Ｂ】
0003224305.tif 000008
【図６】
0003224305.tif 000009
【図７】
0003224305.tif 000010
【図８】
0003224305.tif 000011
【図９Ａ】
0003224305.tif 000012
【図９Ｂ】
0003224305.tif 000013
【手続補正書】
【提出日】令和1年10月9日(2019.10.9)
【手続補正１】
【補正対象書類名】実用新案登録請求の範囲
【補正対象項目名】全文
【補正方法】変更
【補正の内容】
【実用新案登録請求の範囲】
【請求項１】
給紙カートリッジと給紙チャンネルとの間に設置され、
前記給紙カートリッジから用紙を給紙する給紙ユニットと、
前記給紙ユニットに対向するように設置されると共に互いに接触する用紙分離ローラーと、
前記給紙カートリッジと前記給紙ユニットとの間に設置され、且つ用紙を止めるストップ位置と用紙を前記給紙チャンネルに通過させる給紙位置との間で切り換わるように移動可能に設置されるストップアームと、
前記用紙分離ローラーの上流に位置すると共に前記給紙チャンネルの上壁に設けられた収容空間中に設置されるピボット軸を介して前記給紙チャンネルの前記上壁に設置され、且つ前記給紙ユニット及び用紙分離ローラーにより形成される縫い目空間中に揺動可能に設置される用紙ガイド部を含む用紙ガイドスイングアームと、を備え、
前記用紙分離ローラーの回転軸から前記用紙ガイド部の下流側の一端までの距離は前記用紙分離ローラーのローラー径より長く、給紙されている用紙から前記用紙ガイド部の下流側の一端までの垂直距離は給紙されている用紙から前記用紙分離ローラーまでの最短垂直距離よりも長いことを特徴とする用紙ピックアップ装置。
【請求項２】
前記用紙ガイドスイングアームは、前記用紙ガイド部の給紙方向における上流に近接する一端から延伸される昇降部を含むことを特徴とする請求項１に記載の用紙ピックアップ装置。
【請求項３】
前記昇降部は、前記ストップアームの給紙方向における下流に位置することを特徴とする請求項２に記載の用紙ピックアップ装置。
【請求項４】
前記用紙ガイドスイングアームは、前記昇降部の給紙方向における上流に位置する一端から延伸されるストッパー部を含むことを特徴とする請求項２に記載の用紙ピックアップ装置。
【請求項５】
前記ストッパー部は、前記ストッパー部の給紙方向における上流に近接する一端に位置する頂点を含み、且つ前記頂点から用紙までの距離は前記ストップアームの底端から用紙までの距離よりも長いことを特徴とする請求項４に記載の用紙ピックアップ装置。
【請求項６】
用紙分離ローラーの軸方向から見た場合、前記用紙ガイド部の面及び前記給紙チャンネルの間の夾角は前記昇降部及び前記給紙チャンネルの間の夾角よりも小さく、前記昇降部及び前記給紙チャンネルの間の夾角は前記ストッパー部及び前記給紙チャンネルの間の夾角よりも小さいことを特徴とする請求項４に記載の用紙ピックアップ装置。